(57)【要約】【課題】  本発明は、縫着部分の縫い糸の紫外線劣化を極力防止し布同士の分離による破れ現象の起きにくい土木用土嚢を提供すること。【解決手段】  基布袋体１に吊りベルト２が縫着された土木用土嚢Ａであって、基布袋体１の重ね合わせ部の縫着部分が、吊りベルト２によって覆われている土木用土嚢Ａである。  具体的には、基布袋体１は、一枚の矩形の基布の端部同士を一定幅重ね合わせて縫い付け円筒状としたものであって、吊りベルト２が基布袋体の周囲に底部から立ち上がり状に４本縫着されており、その一つの吊りベルト２によって重ね合わせ部の縫着部分が覆われている。【選択図】  図７
2008063767.tif 000002
【特許請求の範囲】
【請求項１】
基布袋体に吊りベルトが縫着された土木用土嚢であって、基布袋体の重ね合わせ部の縫着部分が、吊りベルトによって覆われていることを特徴とする土木用土嚢。
【請求項２】
基布袋体は、一枚の矩形の基布の端部同士を一定幅重ね合わせて縫い付け円筒状としたものであって、吊りベルトが基布袋体の周囲に底部から立ち上がり状に複数本縫着されており、その一つの吊りベルトによって重ね合わせ部の縫着部分が覆われていることを特徴とする請求項１記載の土木用土嚢。
【請求項３】
前記吊りベルトが連結ロープを取り付ける連結部を有することを特徴とする請求項１記載の土木用土嚢。
【請求項４】
前記連結部がループであり、該ループに連結ロープが挿通されるものであることを特徴とする請求項１記載の土木用土嚢。
【請求項５】
前記連結部が基布袋体と吊りベルトとの間に、空間を形成したものであり、該空間に連結ロープが挿通されるものであることを特徴とする請求項１記載の土木用土嚢。
【請求項６】
前記連結部が基布袋体と吊りベルトとの間に、空間を形成し更に吊りベルトに連結ロープを挿通する切り欠きを形成したものであることを特徴とする請求項１記載の土木用土嚢。
【請求項７】
前記連結部が吊りベルトに別体として取り付けられた輪体であり該輪体に連結ロープを挿通することを特徴とする請求項１記載の土木用土嚢。
【請求項８】
前記連結部が重ね合わせ部の縫着部を覆う吊りベルト以外の少なくとも一つに備わっていることを特徴とする請求項１記載の土木用土嚢。
【発明の詳細な説明】
【技術分野】
【０００１】
本発明は、海岸、河川、湖、池、道路等での土木工事に用いられる土木用土嚢に関し、より詳しくは、紫外線による強度劣化を防いで施工後の破損（破れ）を極力防止できる土木用土嚢に関する。
【背景技術】
【０００２】
従来、海岸、河川、湖、池、道路等での土木工事に土砂等を充填させた架設のための土木用土嚢が各所で用いられている。
このような土木用土嚢は、例えば、繊維糸を使って形成した編地、織地、及び網地等よりなるもので、これらの布帛が縫着されて立体状の袋本体を形成する。
土木用土嚢の材料としては、水分に強い合成繊維、例えば、ポリエステル、ポリプロピレン、ポリエチレン、ナイロン又はポリ塩化ビニルが主として用いられる（例えば、特許文献１参照）。
そして、合成繊維の中でも特に、ポリプロピレン繊維を平織に粗く織った布をミシン縫製した袋が多用されている。
【０００３】
【特許文献１】実開平６−３４０２６号公報
【発明の開示】
【発明が解決しようとする課題】
【０００４】
しかしながら、例えば、これらの土木用土嚢のある種のものは、施工現場に積み上げ施工された後、縫い目が破けてしまい、その結果、袋内に詰めた土砂や石材等の中詰め材が外部へ排出されてしまう問題があった。
【０００５】
一枚の矩形の基布を円筒状にして両端の重ね合わされた部分（縫い糸によって縫合されているため基布の地組織床と異なって結合強度が一般的に弱い）を縫着することによって作られる土木用土嚢は、この縫着部分から破れることが多い。
その原因は、重ね合わされた部分の縫い目の縫い糸（ポリプロピレン繊維、ナイロン繊維、ポリエステル繊維等の合成繊維よりなる）が、紫外線に晒されると劣化現象を生じるからである。
【０００６】
紫外線等を受けることにより、経時的劣化を起こした縫い糸は、当初の強度を維持できなくなり、その結果、施工後、土木用土嚢に内外圧が加わった場合、縫い糸が切れて破れる。
更に具体的に言うなら、重ね合わせた部分は縫い糸によって縫着されているため基布袋体の地の組織部よりも結合強度が一般的に弱い。
そして円筒状の基布袋体は、内部に土砂等が充填された状態では、側壁面に大きな力が加わることとなる。
【０００７】
そのため重ね合わせの部分の縫着部において縫い糸が紫外線による劣化を起こして切断すると重ね合わせの部分の布同士が離れて開口し土木用土嚢自体が破れるのである（破れ現象）。
仮設等に用いられる土木用土嚢だとしても、極力このような破れ現象が生じないようにしなければならない。
【０００８】
本発明は、このような背景をもとになされたものである。
すなわち、本発明は、縫着部分の縫い糸の紫外線劣化を極力防止し布同士の分離による破れ現象の起きにくい土木用土嚢を提供することを目的とする。
【課題を解決するための手段】
【０００９】
かくして、本発明者は、このような課題背景に対して鋭意研究を重ねた結果、重ね合わせ部の縫着部分を覆うことにより紫外線による劣化が低下することを見出し、この知見に基づいて本発明を完成させたものである。
【００１０】
すなわち、本発明は、（１）基布袋体に吊りベルトが縫着された土木用土嚢であって、基布袋体の重ね合わせ部の縫着部分が、吊りベルトによって覆われている土木用土嚢に存する。
【００１１】
また、本発明は、（２）基布袋体は、一枚の矩形の基布の端部同士を一定幅重ね合わせて縫い付け円筒状としたものであって、吊りベルトが基布袋体の周囲に底部から立ち上がり状に複数本縫着されており、その一つの吊りベルトによって重ね合わせ部の縫着部分が覆われている上記（１）記載の土木用土嚢に存する。
【００１２】
また、本発明は、（３）前記吊りベルトが連結ロープを取り付ける連結部を有する上記（１）記載の特徴とする土木用土嚢に存する。
【００１３】
また、本発明は、（４）前記連結部がループであり、該ループに連結ロープが挿通されるものである上記（１）記載の土木用土嚢に存する。
【００１４】
また、本発明は、（５）前記連結部が基布袋体と吊りベルトとの間に、空間を形成したものであり、該空間に連結ロープが挿通されるものである上記（１）記載の土木用土嚢に存する。
【００１５】
また、本発明は、（６）前記連結部が基布袋体と吊りベルトとの間に、空間を形成し更に吊りベルトに連結ロープを挿通する切り欠きを形成したものである上記（１）記載の土木用土嚢に存する。
【００１６】
また、本発明は、（７）前記連結部が吊りベルトに別体として取り付けられた輪体であり該輪体に連結ロープを挿通する上記（１）記載の土木用土嚢に存する。
【００１７】
また、本発明は、（８）前記連結部が重ね合わせ部の縫着部を覆う吊りベルト以外の少なくとも一つに備わっている上記（１）記載の土木用土嚢に存する。
【００１８】
なお、本発明の目的に添ったものであれば、上記（１）から（８）を適宜組み合わせた構成も採用可能である。
【発明の効果】
【００１９】
本発明の土木用土嚢は、重ね合わせ部分の縫着部分が、吊りベルトによって覆われているので、縫い目が紫外線から守られて遮蔽され、強度の劣化が防止される。
土木用土嚢吊りベルトが連結ロープを取り付ける連結部を有するので多数の土木用土嚢を群として一体化できる。
【発明を実施するための最良の形態】
【００２０】
以下、本発明を実施するための最良の形態を、図面を用いて説明する。
図１は本発明の土木用土嚢Ａの一実施形態を示す概略図である。
図１（Ａ）は、中詰め材を投入する前の土木用土嚢Ａを示し、図１（Ｂ）は中詰め材を投入した後の土木用土嚢Ａを示している。
【００２１】
この土木用土嚢Ａは、基布袋体１、吊りベルト２、及び口絞りロープ３を備えている。
本実施形態に係る土木用土嚢Ａの作り方は、図２に示すように、先ず基布袋体１を、一枚の矩形の基布を円筒状にし、その端部同士一定幅重ね合わせ（図２（Ａ）参照）、その重ね合わせた部分を縫い付けて作る。
次に、基布袋体１の底に底布を縫い付けて底付きにする（図２（Ｂ）参照）。
【００２２】
一方、吊りベルト２は、基布袋体１の底部で直交するように縫着されており、周囲（側壁面）には底部から立ち上がり状に複数本（図では４本）添着されている。
そしてこの４本の吊りベルトのうち、２本同士が一体に連結されて、土木用土嚢Ａ全体を持ち上げるための取手２２を形成している。
図では、吊りベルト２が、全体としてエンドレス状の１本を使った例を示した。
なお、底部での取り付けは吊りベルト２を基布袋体１に全部を縫着してもよいし、数カ所縫着してもよい。
【００２３】
吊りベルト２が基布袋体１の側壁面に添着される部分は、基布袋体１の底面から一定の高さ位置までであり、それから上の高さの部分は、石材や土砂等の中詰め材を投入した後の蓋となる口絞り部１Ａとなる。
中詰め材を充填した後、口絞り部１Ａを絞り込むために口絞りロープ３が基布袋体１の口絞り部１Ａに取り付けられている。
【００２４】
本実施形態において、吊りベルト２をエンドレス状に形成し基布袋体１の底面で直交させて取り付けるようにしたのは、口絞りロープ３で基布袋体１の口絞り部１Ａを絞り（図１参照）中詰め材が投入された土木用土嚢Ａを吊り上げた場合に、基布袋体１は周囲から内方へ向けて吊りベルト２により押圧作用が働くからである。
吊りベルト２による押圧作用が保形効果を発揮し、中詰め材の投入された基布袋体１の変形が抑止される。
その結果、土木用土嚢Ａを吊り上げた時の安定性が増し、そのため土木用土嚢Ａを安全且つ確実に搬送することができる。
【００２５】
さて、基布袋体１の重ね合わせ部分Ｗにおいては、吊りベルト２がその縫着部Ｔを覆うようにして取り付けられている。
この点が本発明の大きな特徴である。
ここで基布袋体１と吊りベルト２との関係を述べる。
基布袋体１は、前述したように、矩形の布材の両端を一定幅重ね合わされた重ね合わせ部分Ｗが、縫い糸によって縫着されることで形成される。
【００２６】
この縫い糸が紫外線に晒されることにより、その強度が低下すると、重ね合わせ部分Ｗが外れて開口する。
そのため本発明では、重ね合わせ部分Ｗの縫着部Ｔを吊りベルト２で覆うようにした。
すなわち吊りベルト２は、重ね合わせ部分Ｗの縫着部Ｔ（縫い目）に対応するように位置決めされて取り付けられる。
【００２７】
この場合、吊りベルト２は重ね合わせ部分Ｗの縫着部Ｔを十分覆うだけの大きさを有しており、吊りベルト２が移動しないように縫い付けにより取り付けられている。
因みに吊りベルト２の少なくとも１本は必ず重ね合わせ部分Ｗの縫着部Ｔに位置させ、ここを基準として他の３カ所の吊りベルト２の添着位置を決める。
【００２８】
吊りベルト２は、側面に垂直に４本取り付けられた状態となっているが、この４本のうち１本が前述の重ね合わせ部分Ｗに当接するようにすれば良い。
残りの３本の側壁面に対しての取り付けは、側壁面に一定部分、縫着する方法が採用される。
【００２９】
さて本発明の他の特徴としては、別の土木用土嚢との連結を容易にしたことである。
すなわち土木用土嚢Ａには吊りベルト２を利用して連結部２１が形成されている。
前述したように吊りベルト２は基布袋体１の側壁面に取り付けられるが、同時に連結部２１が形成される。
【００３０】
この連結部２１は、連結ロープ４を介して土木用土嚢Ａを多数連結することができることから極めて有用である。
図３は、連結部２１が基布袋体１と吊りベルト２との間に、空間Ｓを形成することによってなるものを示す。
図３（Ａ）は連結前の状態を示し、図３（Ｂ）は連結後の状態を示す。
空間Ｓは吊りベルト２を一定間隔で上下２カ所を縫着することにより形成されており、この空間Ｓに連結ロープ４が挿通されるものである。
【００３１】
図４は、連結部２１が基布袋体１と吊りベルト２との間に、空間Ｓを有し更に吊りベルト２に連結ロープ４を挿通する切り欠きＫを形成することによってなるものを示す。
図４（Ａ）は連結前の状態を示し、図４（Ｂ）連結後の状態を示す。
この場合、図３と異なって空間Ｓは吊りベルト２の上側のみが縫着されて形成されており、連結ロープ４は、空間Ｓと切り欠きＫに挿通される。
【００３２】
図５は、連結部２１がループ有することによってなるものを示す。
図５（Ａ）は連結前の状態を示し、図５（Ｂ）連結後の状態を示す。
ループは吊りベルト２に製造時に付与されているものでも、好ましい。
連結ロープ４は、このループ内に挿通されるものである。
【００３３】
図６は、連結部２１が吊りベルト２に取り付けられた別体の輪体Ｒによってなるものを示す。
図５（Ａ）は連結前の状態を示し、図５（Ｂ）連結後の状態を示す。
連結ロープ４が挿入される輪体Ｒとしては、金属リング、繊維紐リング、プラスチックリング等が採用される。
【００３４】
また、上記図３〜図６の吊りベルト２と基布袋体１との縫着においては、吊りベルト２を基布袋体１の一部に当て布を介して縫着することも補強の意味で有効である。
【００３５】
以上述べたこれらの連結部２１は、先述した重ね合わせ部分Ｗに位置する吊りベルト２以外の吊りベルト２に設けることが必要である。
そして３本のベルトの内、少なくとも１本の吊りベルト２に適応する。
図７は、吊りベルト２に連結部２１（ここでは図３に示す連結部２１）を備えた一実施形態を示す概略図である。
図７（Ａ）は、中詰め材を入れる前、また図７（Ｂ）は、他の土木用土嚢（一点鎖線）との連結状態を示す。
【００３６】
図８は、その連結部２１の適用位置を説明する図である。
図８（Ａ）は、１本の吊りベルトに連結部を有するもの、図８（Ｂ）は、２本の吊りベルトに連結部を有するもの、図８（Ｃ）は、３本の吊りベルトに連結部を有するものをそれぞれ示す。
なお、連結部２１を有しない吊りベルト２において、基布袋体１の重ね合わせ部分Ｗの縫着部Ｔを吊りベルト２によって覆うものである。
【００３７】
図９は、土木用土嚢を連結して群とした施工例を示す説明図である。
このように連結部２１を設けることで土木用土嚢を多数連結することができ、この例では、１本の吊りベルト２に連結部２１を設けた場合を示した。
【００３８】
この場合は、土木用土嚢の向きが一定である場合に適用するのが好ましい。
図１０は、土木用土嚢を連結して群とした他の施工例を示す。
この例では、重ね合わせ部分Ｗに位置する吊りベルト２以外の吊りベルト２の全部に（すなわち３本）連結部２１を設けた場合を示した。
【００３９】
連結部２１が多いので連結ロープ４を繋ぐ箇所に自由度があり、図のように個々の土木用土嚢の向きがランダムであっても、近接する位置の連結部２１を使って連結でき有用である。
尚、参考までに図１１に、土木用土嚢Ａを段積みにして上下方向、水平方向に連結した施工例を概略的に示す。
図１１（Ａ）は、斜視図、図１１（Ｂ）は、側面図である。
以上の例では土木用土嚢を群として施工しているため全体を一体保持でき、一つの土木用土嚢だけがずれたりするようなことが排除される。
【００４０】
ところで、上述した基布袋体１や吊りベルト２、口絞りロープ３または連結ロープ４の材質には、好ましくは合成繊維が用いられる。
合成繊維としては、例えば、ポリエステル、ポリプロピレン、ポリエチレン、ポリアミド等が用いられる。
これらをマルチフィラメント、モノフィラメント、フィルムヤーン等の糸の形態として使用し、織りや編成により袋体、紐、ベルト、ロープ等を作る。
【００４１】
本発明の土木用土嚢は更に紫外線に強くするために、基布袋体１を構成する合成繊維に紫外線遮蔽剤を含ませるとよい。
紫外線遮蔽剤としては、反射剤または吸収剤が採用される。
反射剤としては、カーボンブラック、酸化鉄、酸化クロム、酸化鉛、酸化亜鉛、酸化マグネシウム、酸化チタン、炭酸カルシウム、硫酸バリウム、等があり、吸収剤としては、フェニルサリシレート系、ヒドロキシベンゾフェノン系、ベンゾトリアゾール系、の吸収剤がある。
【００４２】
合成繊維に紫外線遮蔽剤を含有させると、合成繊維自体の紫外線吸収量が減少し、基布袋体１の布の強度の劣化を抑止することができる。
この合成繊維に紫外線遮蔽剤を含有させるには、例えば原糸の紡糸時に紫外線遮蔽剤を練り込むことにより容易に行うことができる。
【００４３】
以上、本発明を説明してきたが、本発明は上述した実施形態にのみ限定されるものではなく、その本質を逸脱しない範囲で、他の種々の変形が可能であることはいうまでもない。
例えば、上述した実施形態では、基布袋体１が円筒状である例について説明したが、重ね合わせの部分があれば角筒状その他の筒状であっても良くい。
【００４４】
また、例えば、上述した実施形態では、吊りベルト２をエンドレス状に形成し、基布袋体１の底面で直交させて取り付けた例について説明したが、複数本のベルトを適宜基布袋体１に取り付け、それらの端部を連結して取手２２を形成することも可能である。
また、連結ロープは繊維以外の材質（例えば、金属ロープ、プラスチックロープ等）も当然採用可能である。
また、立ち上がり状の吊りベルトは、４本以上の偶数本でも当然採用可能である。
【図面の簡単な説明】
【００４５】
【図１】図１は、本発明の土木用土嚢の一実施形態を示す説明図であり、図１（Ａ）は、中詰め材を投入する前の土木用土嚢を示し、図１（Ｂ）は、中詰め材を投入した後の土木用土嚢を示す。
【図２】図２は、土木用土嚢の作り方を説明する図である。
【図３】図３は、連結部が基布袋体と吊りベルトとの間に、空間を形成することによってなるものを示し、図３（Ａ）は連結前の状態を示し、図３（Ｂ）連結後の状態を示す。
【図４】図４は、連結部が基布袋体１と吊りベルトとの間に、空間を有し更に吊りベルトに連結ロープを挿通する切り欠きを形成することによってなるものを示し、図４（Ａ）は連結前の状態を示し、図４（Ｂ）連結後の状態を示す。
【図５】図５は、連結部がループ有することによってなるものを示し、図５（Ａ）は連結前の状態を示し、図５（Ｂ）連結後の状態を示す。
【図６】図６は、連結部が吊りベルトに取り付けられた別体の輪体によってなるものを示し、図６（Ａ）は連結前の状態を示し、図６（Ｂ）連結後の状態を示す。
【図７】図７は、吊りベルトに連結部を備えた一実施形態を示す概略図であり、図７（Ａ）は、中詰め材を入れる前、また図７（Ｂ）は、他の土木用土嚢との連結状態を示す。
【図８】図８は、それぞれ連結部の適用位置を説明する図である。
【図９】図９は土木用土嚢を連結して群とした施工例を示す説明図である。
【図１０】図１０は、土木用土嚢を連結して群とした他の施工例を示す図である。
【図１１】図１１は、土木用土嚢Ａを段積みにして上下方向、水平方向に連結した施工例を概略的に示し、（Ａ）は斜視図、（Ｂ）は側面図である。
【符号の説明】
【００４６】
１…基布袋体
１Ａ…口絞り部
２…吊りベルト  
２１…連結部
２２…取手
３…口絞りロープ
４…連結ロープ
Ａ…土木用土嚢
Ｋ…切り欠き
Ｓ…空間
Ｒ…輪体
Ｔ…縫着部
Ｗ…重ね合わせ部分
【図１】
2008063767.tif 000003
【図２】
2008063767.tif 000004
【図３】
2008063767.tif 000005
【図４】
2008063767.tif 000006
【図５】
2008063767.tif 000007
【図６】
2008063767.tif 000008
【図７】
2008063767.tif 000009
【図８】
2008063767.tif 000010
【図９】
2008063767.tif 000011
【図１０】
2008063767.tif 000012
【図１１】
2008063767.tif 000013